(57)【特許請求の範囲】
【請求項１】
装置の前面側に表面タッチパネルを配置し、その裏面に裏面タッチパネルを配置する携帯端末において、
前記表面タッチパネルに対するタッチ操作と前記裏面タッチパネルに対するタッチ操作との時間差を示す時間差情報を複数回受け付ける受付手段と、
前記受付手段により受け付けられた複数の時間差情報のうち最大値および最小値をロック解除パターンとして記憶する記憶手段と、
ロック解除時において、前記表面タッチパネルに対するタッチ操作と前記裏面タッチパネルに対するタッチ操作との時間差を検出する検出手段と、
前記検出手段により検出されたタッチ操作における時間差と、前記記憶手段に記憶されているロック解除パターンに示される時間差とに基づいて、ロック解除の可否を判断する判断手段と、
前記判断手段によりロック解除が可であると判断されると、ロック解除を行うロック解除手段と、
を備える携帯端末。
【請求項２】
前記記憶手段は、さらに表面タッチパネルにおける表面タッチ位置および裏面タッチパネルにおける裏面タッチ位置をロック解除パターンとして記憶し、
前記判断手段は、ロック解除時において、さらに表面タッチ位置および裏面タッチ位置に基づいて、ロック解除の可否を判断することを特徴とする請求項１に記載の携帯端末。
【請求項３】
前記受付手段は、さらに時間差の情報の受け付けるとともに、表面タッチ位置および裏面タッチ位置を受け付け、
前記記憶手段は、前記受付手段により受け付けられた表面タッチ位置および裏面タッチ位置のずれ幅をロック解除パターンとしてさらに記憶する
ことを特徴とする請求項１または２に記載の携帯端末。
【請求項４】
前記記憶手段は、ロック解除パターンとして、表面タッチパネルに対するタッチ軌跡と裏面タッチパネルに対するタッチ軌跡からなるロック解除パターンをさらに記憶し、
前記検出手段は、前記表面タッチパネルに対するタッチ軌跡と前記裏面タッチパネルに対するタッチ軌跡とを検出し、
前記判断手段は、前記検出手段により検出されたタッチ軌跡およびタッチ操作における時間差と、前記記憶手段に記憶されるロック解除パターンとに基づいて、ロック解除の可否を判断することを特徴とする請求項１から３のいずれか一項に記載の携帯端末。
【請求項５】
装置の前面側にユーザの前記前面上の視点を検出する視点検出手段を配置し、その裏面に裏面タッチパネルを配置する携帯端末において、
装置の前面側にユーザの前記前面上の視点位置として入力された操作位置と前記裏面タッチパネルに対するタッチ操作とからなるロック解除パターンを記憶する記憶手段と、
ロック解除時において、前記装置の前面上の視点位置を基にした操作位置と前記裏面タッチパネルに対するタッチ操作とを検出する検出手段と、
前記検出手段により検出された操作位置及びタッチ操作と、前記記憶手段に記憶されているロック解除パターンとに基づいて、ロック解除の可否を判断する判断手段と、
前記判断手段によりロック解除が可であると判断されると、ロック解除を行うロック解除手段と、を備る、携帯端末。
【請求項６】
装置の前面側に表面タッチパネルを配置し、その裏面に裏面タッチパネルを配置する携帯端末のロック解除方法において、
前記表面タッチパネルに対するタッチ操作と前記裏面タッチパネルに対するタッチ操作との時間差を示す時間差情報を複数回受け付ける受付ステップと、
前記受付ステップにより受け付けられた複数の時間差情報のうち最大値および最小値をロック解除パターンとして記憶手段に記憶させる登録ステップと、
ロック解除時において、前記表面タッチパネルに対するタッチ操作と前記裏面タッチパネルに対するタッチ操作との時間差を検出する検出ステップと、
前記検出ステップにより検出されたタッチ操作における時間差と、前記記憶手段に記憶されているロック解除パターンに示される時間差とに基づいて、ロック解除の可否を判断する判断ステップと、
前記判断ステップによりロック解除が可であると判断されると、ロック解除を行うロック解除ステップと、
を備えるロック解除方法。
【請求項７】
装置の前面側にユーザの前記前面上の視点を検出する視点検出手段を配置し、その裏面に裏面タッチパネルを配置する携帯端末のロック解除方法において、
前記視点検出手段により検出された視点を示す視点位置として入力された操作位置と前記裏面タッチパネルに対するタッチ操作とからなるロック解除パターンを記憶手段に記憶する記憶ステップと、
ロック解除時において、前記装置の前面上の視点位置を基にした操作位置と前記裏面タッチパネルに対するタッチ操作とを検出する検出ステップと、
前記検出ステップにより検出された操作位置及びタッチ操作と、前記記憶手段に記憶されているロック解除パターンとに基づいて、ロック解除の可否を判断する判断ステップと、
前記判断ステップによりロック解除が可であると判断されると、ロック解除を行うロック解除ステップと、を備る、ロック解除方法。
【発明の詳細な説明】
【技術分野】
【０００１】
本発明は、タッチパネルを用いてロック解除を行う携帯端末およびロック解除方法に関する。
【背景技術】
【０００２】
従来のスマートフォンでは、一定の間、無操作状態が続いた場合やスリープからの復帰時にセキュリティ保持のため、画面がロックされることが一般的である。ロックからの解除方法は予めユーザがタッチパネル上にて定義し、ロック状態にて定義した操作を行うことにより、画面のロック解除が可能である。例えば、特許文献１には、タッチパネルにロック解除用のボタンを表示することの記載がある。
【先行技術文献】
【特許文献】
【０００３】
【特許文献１】特開２０１１−１９８００４号公報
【発明の概要】
【発明が解決しようとする課題】
【０００４】
従来における表面のタッチパネルの入力では、ロック解除操作中に操作方法を見られることにより、第三者に解除操作方法が漏れる危険性がある。また、セキュリティを強化するには、文字入力等の操作を長くすることが考えられるが、ユーザの入力操作が多くなり、利便性が低下するという問題がある。
【０００５】
そこで、本発明においては、セキュリティを向上させつつ簡単な操作でロック状態を解除することができる携帯端末およびロック解除方法を提供することを目的とする。
【課題を解決するための手段】
【０００６】
上述の課題を解決するために、本発明の携帯端末は、装置の前面側に表面タッチパネルを配置し、その裏面に裏面タッチパネルを配置する携帯端末において、前記表面タッチパネルに対するタッチ操作と前記裏面タッチパネルに対するタッチ操作との時間差を示す時間差情報を複数回受け付ける受付手段と、前記受付手段により受け付けられた複数の時間差情報のうち最大値および最小値をロック解除パターンとして記憶する記憶手段と、ロック解除時において、前記表面タッチパネルに対するタッチ操作と前記裏面タッチパネルに対するタッチ操作との時間差を検出する検出手段と、前記検出手段により検出されたタッチ操作における時間差と、前記記憶手段に記憶されているロック解除パターンに示される時間差とに基づいて、ロック解除の可否を判断する判断手段と、前記判断手段によりロック解除が可であると判断されると、ロック解除を行うロック解除手段と、を備える。
【０００７】
また、本発明のロック解除方法は、装置の前面側に表面タッチパネルを配置し、その裏面に裏面タッチパネルを配置する携帯端末のロック解除方法において、前記表面タッチパネルに対するタッチ操作と前記裏面タッチパネルに対するタッチ操作との時間差を示す時間差情報を複数回受け付ける受付ステップと、
前記受付ステップにより受け付けられた複数の時間差情報のうち最大値および最小値をロック解除パターンとして記憶手段に記憶させる登録ステップと、ロック解除時において、前記表面タッチパネルに対するタッチ操作と前記裏面タッチパネルに対するタッチ操作とを検出する検出ステップと、前記検出ステップにより検出されたタッチ操作と、前記記憶手段に記憶されているロック解除パターンに示される時間差とに基づいて、ロック解除の可否を判断する判断ステップと、前記判断ステップによりロック解除が可であると判断されると、ロック解除を行うロック解除ステップと、を備える。
【０００８】
この発明によれば、装置の前面側の表面タッチパネルおよびと裏面タッチパネルに対するタッチ操作とからなるロック解除パターンを記憶しておき、ロック解除時において、表面タッチパネルに対するタッチ操作と裏面タッチパネルに対するタッチ操作とを検出する。そして、検出されたタッチ操作と、記憶されているロック解除パターンにより示される時間差とに基づいて、ロック解除の可否を判断し、ロック解除が可であると判断されると、ロック解除を行う。これにより、表面タッチパネルと裏面タッチパネルの両方を用いて簡単な操作をもってして高度なセキュリティを実現することができる。さらに、ロック解除パターンにある程度の幅を持たせることができ、セキュリティを高めるとともに、その操作性を向上させることができる。
【００１３】
また、本発明の携帯端末において、前記記憶手段は、さらに表面タッチパネルにおける表面タッチ位置および裏面タッチパネルにおける裏面タッチ位置をロック解除パターンとして記憶し、前記判断手段は、ロック解除時において、さらに表面タッチ位置および裏面タッチ位置に基づいて、ロック解除の可否を判断する。
【００１４】
この発明によれば、さらに表面タッチパネルにおける表面タッチ位置および裏面タッチパネルにおける裏面タッチ位置をロック解除パターンとして記憶し、さらに表面タッチ位置および裏面タッチ位置に基づいて、ロック解除の可否を判断する。これにより、時間差に加えてタッチ位置をも考慮したロック解除を行うことができ、よりセキュリティを向上させることができる。
【００１７】
また、本発明の携帯端末において、前記受付手段は、さらに時間差の情報の受け付けるとともに、表面タッチ位置および裏面タッチ位置を受け付け、前記登録手段は、前記受付手段により受け付けられた表面タッチ位置および裏面タッチ位置のずれ幅をロック解除パターンとして前記記憶手段に記憶させる。
【００１８】
この発明によれば、さらに時間差の情報の受け付けとともに、表面タッチ位置および裏面タッチ位置を受け付け、受け付けられた表面タッチ位置および裏面タッチ位置のずれ幅をロック解除パターンとして記憶させることで、セキュリティを高めるとともに、その操作性を向上させることができる。
【００１９】
また、本発明の携帯端末において、前記記憶手段は、ロック解除パターンとして、表面タッチパネルに対するタッチ軌跡と裏面タッチパネルに対するタッチ軌跡からなるロック解除パターンを記憶し、前記検出手段は、前記表面タッチパネルに対するタッチ軌跡と前記裏面タッチパネルに対するタッチ軌跡とを検出し、前記判断手段は、前記検出手段により検出されたタッチ軌跡と、前記記憶手段に記憶されるロック解除パターンとに基づいて、ロック解除の可否を判断する。
【００２０】
この発明によれば、ロック解除パターンとして、表面タッチパネルに対するタッチ軌跡と裏面タッチパネルに対するタッチ軌跡からなるロック解除パターンを記憶し、表面タッチパネルに対するタッチ軌跡と裏面タッチパネルに対するタッチ軌跡とを検出し、検出されたタッチ軌跡と、記憶されるロック解除パターンとに基づいて、ロック解除の可否を判断する。これにより、より複雑なロック解除パターンを構築することができ、セキュリティを向上させることができる。
【００２１】
また、本発明の携帯端末において、前記入力検出手段として装置の前面側にユーザの前記前面上の視点を検出する視点検出手段を配置し、前記記憶手段は、前記装置の前面上の視点位置として入力された操作位置と前記裏面タッチパネルに対するタッチ操作とからなるロック解除パターンを記憶し、前記検出手段は、前記装置の前面上の視点位置を基にした操作位置と前記裏面タッチパネルに対するタッチ操作とを検出し、前記判断手段は、前記検出手段により検出された操作位置及びタッチ操作と、前記記憶手段に記憶されているロック解除パターンとに基づいて、ロック解除の可否を判断する。
【００２２】
この発明によれば、装置前面上に視点として入力される操作位置と裏面タッチパネルに対するタッチ操作とからなるロック解除パターンを記憶しておき、ロック解除時において、装置前面上に視点として入力された操作位置と裏面タッチパネルに対するタッチ操作とを検出する。そして、検出された操作位置及びタッチ操作と、記憶されているロック解除パターンとに基づいて、ロック解除の可否を判断し、ロック解除が可であると判断されると、ロック解除を行う。これにより、視線入力と裏面タッチパネルの両方を用いて簡単な操作をもってして高度なセキュリティを実現することができる。
【発明の効果】
【００２３】
本発明によれば、入力検出手段と裏面タッチパネルの両方を用いて簡単な操作をもってして高度なセキュリティを実現することができる。
【図面の簡単な説明】
【００２４】
【図１】本実施形態の第１実施形態に係る携帯端末１００の機能を示す機能ブロック図である。
【図２】携帯端末１００のハードウェア構成図である。
【図３】時間差情報からなるロック解除パターンの登録方法を示す説明図である。
【図４】ロック解除パターンの登録処理を示すフローチャートである。
【図５】ロック解除処理を行うフローチャートである。
【図６】ロック解除パターンとして、タッチ軌跡を用いたときの説明図である。
【図７】タッチ軌跡であるロック解除パターンを登録するときの処理を示すフローチャートである。
【図８】本実施形態の第２実施形態に係る携帯端末２００の機能を示す機能ブロック図である。
【図９】携帯端末２００のハードウェア構成図である。
【図１０】ロック解除パターンとして、視点軌跡及びタッチ軌跡を用いたときの説明図である。
【図１１】本実施形態の第３実施形態に係る携帯端末３００の機能を示す機能ブロック図である。
【図１２】図１１の携帯端末３００によって登録されるロック解除パターンのデータ構成の一例を示す図である。
【発明を実施するための形態】
【００２５】
添付図面を参照しながら本発明の実施形態を説明する。可能な場合には、同一の部分には同一の符号を付して、重複する説明を省略する。
【００２６】
［第１実施形態］
図１は、本実施形態の第１実施形態に係る携帯端末１００の機能を示す機能ブロック図である。図1に示される通り、この携帯端末１００は、表面タッチパネルディスプレイ１０１（入力検出手段、検出手段）、裏面タッチパネル１０２（検出手段）、ロック解除パターン登録部１０３（受付手段、登録手段）、ロック解除パターンＤＢ１０４（記憶手段）、およびロック解除処理部１０５（判断手段、ロック解除手段）を含んで構成されている。図２は、携帯端末１００のハードウェア構成図である。図１に示される携帯端末１００は、物理的には、図２に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、半導体メモリ等の補助記憶装置１７などを含むコンピュータシステムとして構成されている。図１において説明した各機能は、図２に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図１に示す機能ブロックに基づいて、各機能ブロックを説明する。
【００２７】
表面タッチパネルディスプレイ１０１は、装置の前面側に配置されている、ユーザの指等（タッチペン等を含む）のタッチ位置を入力操作として検出する部分である。さらに、表面タッチパネルディスプレイ１０１は、ディスプレイとしての機能を有し、ロック解除用の登録画面や、ロック解除画面を表示する。そのほか、アイコンなどを複数表示したメニュー画面等を表示することができる。
【００２８】
裏面タッチパネル１０２は、表面タッチパネルディスプレイ１０１が配置されている反対側に配置されており、ユーザの指等のタッチ位置を検出する部分である。表面タッチパネルディスプレイ１０１と裏面タッチパネル１０２とは、同じ位置関係をとることができるように鏡像関係にあることが好ましいが、ロック解除パターンとして時間差のみを用いる場合には、特に鏡像関係にある必要もない。
【００２９】
ロック解除パターン登録部１０３は、表面タッチパネルディスプレイ１０１と裏面タッチパネル１０２とに対する操作からなる、ロック状態を解除するための解除パターンをロック解除パターンＤＢ１０４に記憶させる部分である。このロック解除パターン登録部１０３は、表面タッチパネルディスプレイ１０１におけるタッチ位置と、裏面タッチパネル１０２におけるタッチ位置とに基づいて、そのタッチしたときの時間差を示すロック解除パターンを生成し、これをロック解除パターンＤＢ１０４に記憶させる。
【００３０】
ここで、ロック解除パターンの登録方法について説明する。図３は、ロック解除パターンの登録方法を示す説明図である。図３（ａ）〜（ｃ）で示される通り、本実施形態においては、ロック解除パターン生成のために、３回タッチ操作が行われ、これら操作に基づいてロック解除パターンが生成される。例えば、図３（ａ）では、表面タッチパネルディスプレイ１０１において、タッチ位置として座標（１００、５０）が入力される。その０．７秒後に、裏面タッチパネル１０２において、タッチ位置として座標（６０、５０）が入力され、ロック解除パターン登録部１０３により、取得される。
【００３１】
同様に、図３（ｂ）および（ｃ）においても、ロック解除パターン登録部１０３により、表面タッチパネルディスプレイ１０１のタッチ位置と、裏面タッチパネル１０２のタッチ位置と、その時間差情報とが取得される。そして、これら情報に基づいて、ロック解除パターンがロック解除パターン登録部１０３により生成される。生成されたロック解除パターンは、図３（ｄ）に示されるように、ロック解除パターンＤＢ１０４に記憶される。図３（ｄ）では、表面タッチパネルディスプレイ１０１におけるタッチ位置は、座標（１００、４５）〜（１１０、６５）の幅を持たせ、裏面タッチパネル１０２におけるタッチ位置は、座標（５０、５０）〜（６０、５５）の幅を持たせ、入力時間差情報は、０．７秒〜１．１秒の幅を持たせている。これら幅を持たせることにより、ある程度の入力のずれを許容している。本実施例では、時間差の最大値と最小値、位置情報の最大値と最小値、をそれぞれロック解除パターンとしている。
【００３２】
なお、ロック解除登録部１０３は、一回の登録処理に基づいて、時間差情報および位置情報に対して所定の幅を持たせるため、時間差情報および位置情報に対して所定の誤差値を加算および減算したもの、または時間差情報について所定割合分の幅（たとえば±１０％の幅）を持たせた値をロック解除パターンとしてもよい。例えば時間差が１秒とすると、ロック解除パターンＤＢ１０４には、０．９秒〜１．１秒が登録されることになる。位置情報についても同様に、絶対位置について±１０％などを誤差許容範囲としてロック解除パターンとしてもよい。例えば、座標（１００、５０）とした場合、その±１０％の誤差許容範囲は、座標（９０、４０）〜座標（１１０、６０）を対角線で結んだ矩形の領域をロック解除パターンとしてもよい。
【００３３】
また、ロック解除パターンとして、表面タッチパネルディスプレイ１０１と裏面タッチパネル１０２とが同じ大きさ、同じ対向する位置に配置されている場合には、絶対位置ではなく、それらタッチ位置の相対位置をロック解除パターンとしてもよい。
【００３４】
ロック解除処理部１０５は、表面タッチパネルディスプレイ１０１におけるタッチ操作と、裏面タッチパネル１０２におけるタッチ操作とに基づいてロック解除を行う部分である。さらに具体的には、ロック解除処理部１０５は、これらタッチ操作に基づいて、ロック解除パターンＤＢ１０４を参照し、そのタッチ操作がロック解除パターンと一致している、若しくはロック解除パターンの範囲に含まれる、と判断できる場合、ロック解除処理を行う部分である。
【００３５】
このようにして、携帯端末１００は、表面タッチパネルディスプレイ１０１と裏面タッチパネル１０２とにおけるタッチ操作に基づいてロック状態の解除を行うことができる。なお、その前提として、携帯端末１００は、所定時間、タッチ操作が行われないと、表面タッチパネルディスプレイ１０１および裏面タッチパネル１０２からの入力受け付けができないロック状態となる。また、たとえば、ロック状態移行スイッチの押下など、所定の操作を行うことによってロック状態に移行させることを前提とする。
【００３６】
つぎに、本実施形態の携帯端末１００におけるロック解除パターンの登録方法について説明する。図４は、ロック解除パターンの登録処理を示すフローチャートである。まず、ロック解除パターン登録部１０３によりロック解除パターンの登録画面が、表面タッチパネルディスプレイ１０１に表示される（Ｓ１０１）。つぎに、ユーザにより、表面タッチパネルディスプレイ１０１および裏面タッチパネル１０２に対してロック解除パターン登録のためのタッチ操作が行われ、ロック解除パターン登録部１０３により、その操作受付処理が行われる（Ｓ１０２）。
【００３７】
本実施形態では、ロック解除パターン登録のためのタッチ操作の受付処理が、合計３回行われる（Ｓ１０３、Ｓ１０４）。なお、３回に限定するものではなく、さらに少なく、または多くしてもよい。
【００３８】
そして、ロック解除パターン登録部１０３により、ロック解除パターンが生成され、生成されたロック解除パターンは、ロック解除パターンＤＢ１０４に記憶される（Ｓ１０６）。
【００３９】
つぎに、このように記憶されたロック解除パターンに基づいて、ロック解除を行う処理について説明する。図５は、そのロック解除処理を行うフローチャートである。
【００４０】
タッチ操作後所定時間経過、またはロック状態の指示がなされると、携帯端末１００は、ロック状態となる（Ｓ２０１）。ユーザがロック解除を行いたい場合には、ユーザ操作により、ロック解除のための画面を表示させる。その解除画面において、表面タッチパネルディスプレイ１０１および裏面タッチパネル１０２に対して解除操作のためのタッチ操作が行われ、そのタッチ操作が受け付けられる（Ｓ２０２）。
【００４１】
そして、ロック解除処理部１０５により、受け付けられたタッチ操作と、ロック解除パターンＤＢ１０４に記憶されているロック解除パターンとの照合処理が行われる（Ｓ２０３）。ここで、タッチ操作とロック解除パターンとが一致している（またはロック解除パターンで示されている範囲に含まれている）と、ロック解除処理部１０５により判断されると（Ｓ２０４）、ロック解除処理部１０５により、ロック解除が行われる（Ｓ２０５）。また、タッチ操作とロック解除パターンとが一致していないと（またはロック解除パターンの範囲に含まれていないと）、ロック解除処理部１０５により判断されると（Ｓ２０４）、ロック解除処理部１０５により、ロック解除は行われない（Ｓ２０５）。
【００４２】
このようにして、時間差情報を利用したロック解除パターンに基づいたロック解除を行うことができる。
【００４３】
上述のロック解除パターンは、時間差情報を利用したものであるが、これに限るものではない。ロック解除パターンは、タッチ軌跡を用いたものとしてもよい。
【００４４】
図６は、ロック解除パターンとして、タッチ軌跡を用いたときの説明図である。図６（ａ）に示されるように、表面タッチパネルディスプレイには、３×３のオブジェクトが表示されており、ユーザは、表面タッチパネルディスプレイ１０１および裏面タッチパネル１０２を用いて、このオブジェクトの上をなぞることにより、所定のロック解除パターンを入力することができる。なお、この例においては、表面タッチパネルディスプレイ１０１と裏面タッチパネル１０２との大きさを同じにして、鏡像関係にある方が操作性がよい。また、裏面タッチパネル１０２からのタッチ状態がわかるように、表面タッチパネルディスプレイ１０１および裏面タッチパネル１０２並びにその間にある本装置の部材について透過性の持ったものとする方が操作性はよくなる。また、オブジェクトのマトリクスは、３×３に限るものではなく、もっと多くしてもよい。
【００４５】
さらにその登録方法について詳細に説明すると、ロック解除パターン登録部１０３は、表面タッチパネルディスプレイ１０１に、３×３のオブジェクトを表示する。図６（ａ）に示されるように、“１”〜“９”の番号が各オブジェクトに割り振られている。そして、この例においては、ユーザは、表面タッチパネルディスプレイ１０１から“１”→“４”→“７” の順にオブジェクトをなぞり（符号ｘ１およびｘ２）、その後裏面タッチパネル１０２から“７”→“８” の順にオブジェクトをなぞり（符号ｘ３）、さらに表面タッチパネルディスプレイ１０１から“８”→“５” の順にオブジェクトをなぞり（符号ｘ４）、最後に裏面タッチパネル１０２から“５“ →“９”の順にオブジェクトをなぞっている（符号ｘ５）。なお、図６（ａ）において、表面タッチパネルディスプレイ１０１からの入力は、実線で示されており、裏面タッチパネル１０２からの入力は、点線で示されている。
【００４６】
このようなユーザによる登録操作によって、ロック解除パターンＤＢ１０４には、図６（ｂ）に示されるロック解除パターンが記憶される。ここには、軌跡番号として符号ｘ１〜ｘ５が記憶されており、それぞれ始点および終点のオブジェクト番号と、タッチパネルの表裏の種別とが対応付けて記憶されている。
【００４７】
この登録処理について、図７を用いて説明する。図７は、ロック解除パターンを登録するときの処理を示すフローチャートである。まず、ロック解除パターン登録部１０３により、ロック解除パターンの登録画面が、表面タッチパネルディスプレイ１０１に表示される（Ｓ３０１）。ユーザは、ロック解除パターンの登録画面に従って、表面タッチパネルディスプレイ１０１および裏面タッチパネル１０２を用いてロック解除パターンの入力操作を行い、表面タッチパネルディスプレイ１０１および裏面タッチパネル１０２において、その入力操作が受け付けられる（Ｓ３０２）。そして、ロック解除パターン登録部１０３により、ロック解除パターンがロック解除パターンＤＢ１０４に記憶される（Ｓ３０３）。なお、ロック解除パターンに対する入力操作は、所定時間指が動かなかったか、または指が離れた時点で終了と判断され、そのタイミングでロック解除パターンが記憶されることになる。
【００４８】
このようにして、表面タッチパネルディスプレイ１０１および裏面タッチパネル１０２を用いたロック解除パターンの入力を行うことができ、よりセキュリティの高いロック解除処理を実現することができる。
【００４９】
つぎに、本実施形態の携帯端末１００の作用効果について説明する。ロック解除パターンＤＢ１０４は、表面タッチパネルディスプレイ１０１に対するタッチ操作と裏面タッチパネル１０２に対するタッチ操作とからなるロック解除パターンを記憶している。
【００５０】
そして、表面タッチパネルディスプレイ１０１および裏面タッチパネル１０２が、ロック解除時において、それぞれに対するタッチ操作を検出する。ロック解除処理部１０５は、検出されたタッチ操作と、ロック解除パターンＤＢ１０４に記憶されているロック解除パターンとに基づいて、ロック解除の可否を判断し、ロック解除が可であると判断されると、ロック解除を行う。これにより、表面タッチパネルと裏面タッチパネルの両方を用いて簡単な操作をもってして高度なセキュリティを実現することができる。
【００５１】
例えば、ロック解除パターンとして、ロック解除パターンＤＢ１０４は、表面タッチパネルディスプレイ１０１に対するタッチ操作と裏面タッチパネル１０２に対するタッチ操作との時間差を示す時間差情報を記憶し、ロック解除処理部１０５は、表面タッチパネルに対するタッチ操作と裏面タッチパネルに対するタッチ操作との時間差を検出し、検出された時間差と、記憶手段に記憶されているロック解除パターンに示される時間差とに基づいて、ロック解除の可否を判断する。これによって、表面タッチパネルと裏面タッチパネルの両方を用いて簡単な操作をもってして高度なセキュリティを実現することができる。
【００５２】
また、本実施形態の携帯端末１００によれば、ロック解除パターンＤＢ１０４は、さらに表面タッチパネルにおける表面タッチ位置および裏面タッチパネルにおける裏面タッチ位置をロック解除パターンとして記憶し、ロック解除処理部１０５は、さらに表面タッチ位置および裏面タッチ位置に基づいて、ロック解除の可否を判断する。これにより、時間差に加えてタッチ位置をも考慮したロック解除を行うことができ、よりセキュリティを向上させることができる。
【００５３】
また、本実施形態の携帯端末１００によれば、ロック解除パターン登録部１０３は、表面タッチパネルディスプレイ１０１および裏面タッチパネル１０２からのタッチ操作により、その時間差の情報を複数回受け付け、受け付けられた複数の時間差のうち最大値および最小値をロック解除パターンとして、ロック解除パターンＤＢ１０４に記憶させることができる。これにより、ロック解除パターンにある程度の幅を持たせることができ、セキュリティを高めるとともに、その操作性を向上させることができる。
【００５４】
また、本実施形態の携帯端末１００によれば、ロック解除パターン登録部１０３は、さらに時間差情報の受け付けとともに、表面タッチ位置および裏面タッチ位置を受け付け、受け付けられた表面タッチ位置および裏面タッチ位置のずれ幅をロック解除パターンとして、ロック解除パターンＤＢ１０４に記憶させることで、セキュリティを高めるとともに、その操作性を向上させることができる。
【００５５】
また、本実施形態の携帯端末１００によれば、ロック解除パターンとして、ロック解除パターンＤＢ１０４は、表面タッチパネルディスプレイ１０１に対するタッチ軌跡と裏面タッチパネル１０２に対するタッチ軌跡からなるロック解除パターンを記憶している。そして、表面タッチパネルディスプレイ１０１に対するタッチ軌跡と裏面タッチパネル１０２に対するタッチ軌跡とがそれぞれ検出され、ロック解除処理部１０５は、検出されたタッチ軌跡と、記憶されるロック解除パターンとに基づいて、ロック解除の可否を判断する。これにより、より複雑なロック解除パターンを構築することができ、セキュリティを向上させることができる。
【００５６】
［第２実施形態］
図８は、本実施形態の第２実施形態に係る携帯端末２００の機能を示す機能ブロック図である。図８に示される通り、この携帯端末２００の第１実施形態に係る携帯端末１００との構成上の相違点は、装置の前面側の表面タッチパネルディスプレイ１０１の端部に配置された入力検出手段としての視点検出部２０１（視点検出手段）をさらに備える点である。また、携帯端末２００の携帯端末１００との機能上の相違点は、ロック解除パターン登録部１０３によってロック解除パターンＤＢ１０４に記憶されるロック解除パターンの内容、及びロック解除処理部１０５によるロック解除処理の判断ロジックである。
【００５７】
図９は、携帯端末２００のハードウェア構成図である。図９に示すように、携帯端末２００は、携帯端末１００の構成要素に加えて、ＣＣＤ（Charge Coupled Device）やＣＭＯＳ（ComplementaryMetal Oxide Semiconductor）等の撮像素子を内蔵するカメラ１８、及びＬＥＤ等の発光素子を内蔵する照明装置１９をさらに備える。図８に示す視点検出部２０１の機能は、図９に示すＣＰＵ１１、ＲＡＭ１２等のハードウェア上に所定のコンピュータソフトウェアを読み込ませることにより、ＣＰＵ１１の制御のもとでカメラ１８及び照明装置１９を動作させるとともに、ＲＡＭ１２や補助記憶装置１７におけるデータの読み出し及び書き込みを行うことで実現される。
【００５８】
視点検出部２０１は、装置の前面側に配置された表面タッチパネルディスプレイ１０１に対面して位置するユーザの顔画像を取得し、この顔画像を画像処理してユーザの表面タッチパネルディスプレイ１０１上の視点を検出する。詳細には、視点検出部２０１は、照明装置１９によってユーザに向けて近赤外光等の所定波長の照明光を照射すると同時に、カメラ１８によって照明光が照射されたユーザの顔画像を取得する。そして、視点検出部２０１は、取得した顔画像を基にユーザの表面タッチパネルディスプレイ１０１上の視点を検出する。この視点検出方法としては、顔画像を基に瞳孔位置及び角膜反射位置を検出してその検出結果からユーザの視線方向を検出し、検出した視線方向を基に画面上の視点を検出するといった公知の技術が用いられる。
【００５９】
ロック解除パターン登録部１０３は、視点検出部２０１に対する操作と裏面タッチパネル１０２とに対する操作からなる、ロック状態を解除するための解除パターンをロック解除パターンＤＢ１０４に記憶させる部分である。このロック解除パターン登録部１０３は、視点検出部２０１を利用して入力された表面タッチパネルディスプレイ１０１上の視点としての操作位置と、裏面タッチパネル１０２におけるタッチ位置とに基づいてロック解除パターンを生成し、これをロック解除パターンＤＢ１０４に記憶させる。
【００６０】
ここで、ロック解除パターンの登録方法について説明する。図１０は、ロック解除パターンの登録方法を示す説明図である。図１０（ａ）で示される通り、表面タッチパネルディスプレイには、３×３のオブジェクトが表示されており、ユーザは、表面タッチパネルディスプレイ１０１上のオブジェクトを目で追いながら、裏面タッチパネル１０２を用いてこのオブジェクトの上をなぞることにより、所定のロック解除パターンを入力することができる。なお、この例においては、表面タッチパネルディスプレイ１０１と裏面タッチパネル１０２との大きさを同じにして、鏡像関係にある方が操作性がよい。また、裏面タッチパネル１０２からのタッチ状態がわかるように、表面タッチパネルディスプレイ１０１および裏面タッチパネル１０２並びにその間にある本装置の部材について透過性の持ったものとする方が操作性はよくなる。また、オブジェクトのマトリクスは、３×３に限るものではなく、もっと多くしてもよい。
【００６１】
さらにその登録方法について詳細に説明すると、ロック解除パターン登録部１０３は、表面タッチパネルディスプレイ１０１に、３×３のオブジェクトを表示する。図１０（ａ）に示されるように、“１”〜“９”の番号が各オブジェクトに割り振られている。そして、この例においては、ユーザは、表面タッチパネルディスプレイ１０１において“１”→“４”→“７” の順にオブジェクト間で視点位置を移すことで操作位置を移動させ（符号ｘ１１およびｘ１２）、その後裏面タッチパネル１０２から“７”→“８” の順にオブジェクトをなぞり（符号ｘ１３）、さらに表面タッチパネルディスプレイ１０１において“８”→“５” の順にオブジェクト間で操作位置を移動させ（符号ｘ１４）、最後に裏面タッチパネル１０２から“５“ →“９”の順にオブジェクトをなぞっている（符号ｘ１５）。なお、図１０（ａ）において、表面タッチパネルディスプレイ１０１における入力操作は、実線で示されており、裏面タッチパネル１０２からの入力は、点線で示されている。
【００６２】
このようなユーザによる登録操作によって、ロック解除パターンＤＢ１０４には、図１０（ｂ）に示されるロック解除パターンが記憶される。ここには、ロック解除パターンとして、軌跡番号と、軌跡番号に対応する入力軌跡に対応する始点および終点のオブジェクト番号と、その入力軌跡が表面タッチパネルディスプレイ１０１上の視点位置の軌跡によるものなのか、裏面タッチパネル１０２でのタッチ位置の軌跡によるものかを示す軌跡種別とが対応付けて記憶されている。
【００６３】
なお、ロック解除パターン登録部１０３は、図３に示したロック解除パターンの登録方法と同様にして、視点検出部２０１を利用して入力された表面タッチパネルディスプレイ１０１上の視点としての操作位置と、裏面タッチパネル１０２におけるタッチ位置と、操作及びタッチの時間差とを含むロック解除パターンを生成し、これをロック解除パターンＤＢ１０４に記憶させてもよい。
【００６４】
さらに、ロック解除処理部１０５は、視点検出部２０１を利用して入力された表面タッチパネルディスプレイ１０１上の視点としての操作位置と、裏面タッチパネル１０２におけるタッチ操作とに基づいてロック解除を行う部分である。具体的には、ロック解除処理部１０５は、これら操作位置及びタッチ操作に基づいて、ロック解除パターンＤＢ１０４を参照し、そのタッチ操作がロック解除パターンと一致していると判断できる場合、ロック解除処理を行う部分である。
【００６５】
以上説明した本実施形態の携帯端末２００によれば、装置前面上に視点として入力される操作位置と裏面タッチパネル１０２に対するタッチ操作とからなるロック解除パターンを記憶しておき、ロック解除時において、装置前面上に視点として入力された操作位置と裏面タッチパネル１０２に対するタッチ操作とを検出する。そして、検出された操作位置及びタッチ操作と、記憶されているロック解除パターンとに基づいて、ロック解除の可否を判断し、ロック解除が可であると判断されると、ロック解除を行う。これにより、視線入力と裏面タッチパネルの両方を用いて簡単な操作をもってして高度なセキュリティを実現することができる。
【００６６】
なお、本発明は、前述した実施形態に限定されるものではない。例えば、上述した携帯端末１００においては表面タッチパネルディスプレイ１０１及び裏面タッチパネル１０２のタッチ位置を基にロック解除を判断していたが、その他の判断手法を用いてもよい。
【００６７】
図１１は、本発明の変形例に係る携帯端末３００の機能を示す機能ブロック図である。図１１に示される通り、この携帯端末３００の第１実施形態に係る携帯端末１００との構成上の相違点は、装置の側面側に配置された入力検出手段としての側面入力部３０１（検出手段）をさらに備える点である。この側面入力部３０１としては、具体的には、側面に配置された複数のサイドキー等の複数の入力キーが挙げられる。また、携帯端末３００の携帯端末１００との機能上の相違点は、ロック解除パターン登録部１０３によってロック解除パターンＤＢ１０４に記憶されるロック解除パターンの内容、及びロック解除処理部１０５によるロック解除処理の判断ロジックである。
【００６８】
このような携帯端末３００によるロック解除パターンの登録は、図３に示す方法と同様にして実行される。すなわち、ロック解除パターン登録部１０３によって、側面入力部３０１の複数キーのうちの操作位置と、裏面タッチパネル１０２のタッチ位置と、その時間差情報とが取得され、その操作位置とタッチ位置と時間差情報とを含むロック解除パターンが生成されロック解除パターンＤＢ１０４に記憶される。より具体的には、図１２に示すように、ロック解除パターンＤＢ１０４には、側面入力部３０１の操作位置を示す位置情報と、ある程度の幅を持たせた裏面タッチパネル１０２のタッチ位置の座標と、入力時間差情報とを含むロック解除パターンが記憶される。また、図６に示す登録方法と同様にして、側面入力部３０１の操作位置と裏面タッチパネル１０２のタッチ位置の軌跡とを時系列に並べた情報をロック解除パターンとして生成してもよい。また、携帯端末３００によるロック解除処理の判断は、検出された側面入力部３０１の操作位置と裏面タッチパネル１０２のタッチ操作に基づいて、ロック解除パターンＤＢ１０４を参照し、その操作位置及びタッチ操作がロック解除パターンと一致しているか、若しくはロック解除パターンの範囲に含まれるかを判断することにより行われる。
【００６９】
このような携帯端末３００によっても、側面入力部と裏面タッチパネルの両方を用いて簡単な操作をもってして高度なセキュリティを実現することができる。
【符号の説明】
【００７０】
１００，２００，３００…携帯端末、１０１…表面タッチパネルディスプレイ、１０２…裏面タッチパネル、１０３…ロック解除パターン登録部、１０４…ロック解除パターンＤＢ、１０５…ロック解除処理部、２０１…視点検出部、３０１…側面入力部。
【図１】
0005580873.tif 000002
【図２】
0005580873.tif 000003
【図３】
0005580873.tif 000004
【図４】
0005580873.tif 000005
【図５】
0005580873.tif 000006
【図６】
0005580873.tif 000007
【図７】
0005580873.tif 000008
【図８】
0005580873.tif 000009
【図９】
0005580873.tif 000010
【図１０】
0005580873.tif 000011
【図１１】
0005580873.tif 000012
【図１２】
0005580873.tif 000013